(57)【要約】【課題】      ゴルフスイング中に生じる左右の身体の移動を抑制することにより、理想的なバックスイング、ダウンスイング、インパクト、およびフォロースイングを実現することができるゴルフスイング練習装置を提供すること。【解決手段】  両足を載置する基板２と、該基板２に装着される、スイング時に両膝が外側方向に移動するのを抑止する膝係止具５と、前記基板２の上部に設けられた軸足固定具１０とで構成されている。  また、前記膝係止具５を基板２に着脱自在に装着した。【選択図】      図１
2005125036.tif 000002
【特許請求の範囲】
【請求項１】
両足を載置する基板と、該基板に装着される、スイング時に両膝が外側方向に移動するのを抑止する膝係止具と、前記基板の上部に設けられた軸足固定具とで構成されていることを特徴とするゴルフスイング練習装置。
【請求項２】
前記膝係止具を、基板に着脱自在に装着した請求項１記載のゴルフスイング練習装置。
【発明の詳細な説明】
【技術分野】
【０００１】  本発明は、ゴルフのスイング時に生じる下半身の左右の移動を矯正することができるゴルフスイング練習装置に関する。
【背景技術】
【０００２】  従来より、ゴルフスイングに望ましい腕の動きや体のひねり、頭の位置などを規制された一定の動きの中で総合的に矯正できるようにしたゴルフスイング矯正具がある（例えば、特許文献１参照）。
【特許文献１】特開平１０−４３３４５号公報（第１−２頁、図１、図２）
【発明の開示】
【発明が解決しようとする課題】
【０００３】  上掲特許文献１のゴルフスイング矯正具は、頭の上から被って肩の上に載置するリングフレームと、このリングフレームの前側位置でほぼ両肩の幅寸法で垂下する一対の腕開き防止部と、腕開き防止部の下部前方からリングフレー厶の一方の肩位置に向かって大きな曲線を描くように掛け渡されたガイドフレームと、このガイドフレー厶上を移動するグリップ部と、前記リングフレームが肩の上で擦り動かないように体に固定する固定部を備えている。そのため、ゴルフスイングに望ましい腕の動きや体のひねり、頭の位置を矯正することができるとされているが、しかしながら、正確なスイングを行うために最も大切とされる左右の体の移動、特に下半身の移動防止を解消するまでには至らなかった。【０００４】  そこで本発明は、上記した従来技術の問題点を解消し、スイング中に生じる左右の体の移動、特に両膝の外側方向の移動を抑制することにより、理想的なバックスイング、ダウンスイング、インパクト、およびフォロースイングを実現することができるゴルフスイング練習装置を提供することにある。
【課題を解決するための手段】
【０００５】  上記課題を解決するために、本発明のゴルフスイング練習装置は、両足を載置する基板と、該基板に装着される、スイング時に両膝が外側方向に移動するのを抑止する膝係止具と、前記基板の上部に設けられた軸足固定具とで構成されていることを特徴とする。また、前記膝係止具を基板に着脱自在に装着した。
【発明の効果】
【０００６】  本発明は、スイング中に生じる左右の身体の移動、特に、両膝の外側方向の移動を膝係止具にて抑止できるので、バックスイングやインパクトスイングを理想的な状態で行うことができる。また、軸足固定具を設けたことで身体の上下動も軽減される。さらに、膝係止具を基板に着脱自在に装着したことにより、運搬や収納が容易になると共に、身体の異なる大きさの利用者にも自在に対応できる。
【発明を実施するための最良の手段】
【０００７】  以下、本発明のゴルフスイング練習装置の実施の形態を図面に基づいて説明する。
図示する本発明のゴルフスイング練習装置１は、両足を載置する基板２と、該基板２に装着される、スイング時に両膝が外側方向に移動するのを抑止する膝係止具５と、前記基板２の上部に設けられた軸足固定具１０とで構成されている。
【０００８】  基板２は、スイング練習中に身体の両足を載置させるもので薄板状を呈しており、硬質樹脂、木製、金属等の素材で形成されている。また、前記基板２の両側部には膝係止具５、５’が設けられている。かかる膝係止具５、５’は略コ字形を呈しており、夫々の上部６、６’は通常の大人の膝の高さに配置されている。
【０００９】  前記膝係止具５、５’は、スイング時に両膝が外側方向の移動することを抑止するもので、例えば図５に示すように、バックスイングした際に右足の膝ａが外側に移動すると、右足の膝ａの外側部分が膝係止具５の上部６に係止され、いわゆる膝のタメができる。また、インパクト時においては、図６に示すように、左足の膝ａ’の外側が膝係止具５’の上部６’に係止され、体重の横方向の移動を防ぐことができる。
【００１０】  また、前記基板２の上部であって、フォロースイング時に軸足が載置される個所には、軸足固定具１０が設置されている。軸足固定具１０は、図中左足の下部に設置されており、上部より押圧することで、容易に足を固定できるものである。軸足を軸足固定具１０にて固定することで、バックスイングやインパクト時の軸足の上昇やズレを防ぐことが可能となる。なお、前記軸足固定具１０は、図示する形状に限定されるものではなく、例えばベルトで足を固定する構造であってもよい。さらに、使用者が左利きの場合、向きを変えることで使用することがきる。
【００１１】  また、他の好適例として、前記膝係止具５、５’を基板２に着脱自在に装着することが好ましい。この場合、図２に示すように、基板２の長手方向側面に膝係止具５、５’の底板７を嵌入させる切込３を設け、さらに、切込３上部に貫通孔４を穿設する。また、膝係止具５、５’の底部７にも複数の貫通孔８を穿設し、ビス９等を嵌入させることで膝係止具５、５’を基板２に装着させることができる。なお、底板７に設けられた複数の貫通孔８により、膝係止具同士の間隔を自在に調節することも可能となる。
【００１２】  次に、本発明のゴルフスイング練習装置の使用方法を説明する。
先ず、図３及び図４に示すように、ゴルフスイング練習装置１の前面にティーアップセット１１を配置させる。そして、基板２上に両足を載置させ、左足を軸足固定具１０にて固定し所望のスタンスを決める。
【００１３】  次に、図５に示すように、通常のようにバックスイングの動作を行う。この時、バックスイングした際に体重の移動と共に右足の膝ａが外側に移動しようとするが、右足の膝ａの外側が膝係止具５の上部６に係止され、それ以上の外側方向の移動が抑止され、いわゆる膝のタメができる。また、左足が軸足固定具１０にて固定されているので、軸足の上昇やズレが解消される。
【００１４】  また、図６に示すように、インパクト時においては、体重の移動と共に左足の膝ａ’が外側に移動しようとするが、左足の膝ａ’の外側が膝係止具５’の上部６’に係止され、それ以上の外側方向の移動が抑止される。さらに左足が軸足固定具１０にて固定されているので、いわゆる左足のカベができる。その後、図７に示すように、左足のカベを保持した状態でフォロースイングを行う。前記のように、スイング時に生じる左右の膝の移動を膝係止具５、５’により防ぐことができるので、理想的なゴルフスイングの練習が実現できる。
【図面の簡単な説明】
【００１５】
【図１】本発明のゴルフスイング練習装置の全体斜視図である。
【図２】他の好適例を示すゴルフスイング練習装置の分解斜視図である。
【図３】使用状態を示す斜視図である。
【図４】使用状態を示す正面図である。
【図５】バックスイングの状態を示す。
【図６】インパクトの状態を示す。
【図７】フォロースイングの状態を示す。
【符号の説明】
【００１６】１  ゴルフスイング練習装置
２  基板
３  切込
４  貫通孔
５  膝係止具
６  上部
７  底部
８  貫通孔
９  ビス
１０  軸足固定具
１１  ティーアップセット
【図１】
2005125036.tif 000003
【図２】
2005125036.tif 000004
【図３】
2005125036.tif 000005
【図４】
2005125036.tif 000006
【図５】
2005125036.tif 000007
【図６】
2005125036.tif 000008
【図７】
2005125036.tif 000009